(57)【要約】【課題】印刷イメージ作成装置、印刷イメージ作成方法、及び、プログラムにおいて、所望の印刷イメージをユーザが容易に作成できるようにする。【解決手段】印刷イメージ作成装置１は表示部５と制御部２を有し、制御部２は、表示部５に印刷イメージ作成画面５０を表示させ、印刷イメージ作成画面５０内に印刷対象である複数のパーツを表示させ、印刷イメージ作成画面５０において、複数のパーツのうちの少なくとも一部の２以上の第１の数のパーツが選択された状態で、第１の数のパーツの相互の位置に基づいて第１の数のパーツの位置合わせを行って、複数のパーツを有する印刷イメージを作成する。【選択図】図４
2018049439.tif 000002
【特許請求の範囲】
【請求項１】
表示部と、
前記表示部に印刷イメージ作成画面を表示させるとともに、前記印刷イメージ作成画面内に印刷対象である複数のパーツを表示させ、前記複数のパーツの少なくとも一部に対して位置合わせを行って、前記複数のパーツを有する印刷イメージを作成する制御部と、
を備え、
前記制御部は、
前記印刷イメージ作成画面において、前記複数のパーツの少なくとも一部の２以上の第１の数の前記パーツが選択された状態で、前記第１の数のパーツの相互の位置に基づいて前記第１の数のパーツの第１の位置合わせを行うことを特徴とする印刷イメージ作成装置。
【請求項２】
前記制御部は、
前記印刷イメージ作成画面において、前記複数のパーツのうちの単一の前記パーツが選択された状態で、前記印刷イメージにおける印刷可能領域に対して前記単一のパーツの第２の位置合わせを行うことを特徴とする請求項１に記載の印刷イメージ作成装置。
【請求項３】
前記第１の位置合わせと前記第２の位置合わせとは、前記印刷イメージ作成画面における共通の操作部分に対するユーザによる操作に基づいて行われることを特徴とする請求項２に記載の印刷イメージ作成装置。
【請求項４】
前記制御部は、
前記位置合わせの基準となり印刷対象ではない指標を、前記印刷イメージ作成画面内に表示させる手段を有し、
前記指標が前記印刷イメージ作成画面内に表示され、前記第１の数のパーツが選択された状態で、前記指標に対して前記第１の数のパーツの第３の位置合わせを行うことを特徴とする請求項１乃至３の何れか一項に記載の印刷イメージ作成装置。
【請求項５】
前記制御部は、
前記位置合わせを行った場合に、前記第１の数のパーツの少なくとも一部において互いに重なりが生じるか否かを判定する手段を有することを特徴とする請求項１乃至４の何れか一項に記載の印刷イメージ作成装置。
【請求項６】
前記制御部は、
前記第１の数のパーツの少なくとも一部において互いに重なりが生じると判定したときに、前記第１の数のパーツにおける前記重なりが生じる前記一部のパーツのうちの少なくとも１つを前記重なりが解消されるように移動させる第１手段、及び、前記第１の数のパーツの少なくとも一部において互いに重なりが生じると判定したときに、前記第１の数のパーツにおける前記重なりが生じる前記一部のパーツのうちの少なくとも１つの大きさを前記重なりが解消される大きさに変更する第２手段、の少なくとも何れかを有することを特徴とする請求項５に記載の印刷イメージ作成装置。
【請求項７】
前記制御部は、
前記第１の数のパーツの少なくとも一部において互いに重なりが生じると判定したときに、重なりが生じることをユーザへ報知する手段を有することを特徴とする請求項５又は６に記載の印刷イメージ作成装置。
【請求項８】
前記制御部は、
前記複数のパーツが、第１のパーツと前記第１のパーツを取り囲む第２のパーツとを含み、前記印刷イメージ作成画面において、前記第１のパーツが選択された状態で、前記第２のパーツに対して前記第１のパーツの位置合わせを行うことを特徴とする請求項１乃至６の何れか一項に記載の印刷イメージ作成装置。
【請求項９】
印刷イメージ作成画面を表示部に表示させる第１の工程と、
前記表示部の前記印刷イメージ作成画面内に印刷対象である複数のパーツを表示させる第２の工程と、
前記印刷イメージ作成画面において、前記複数のパーツの少なくとも一部の２以上の第１の数の前記パーツが選択された状態で、前記第１の数のパーツの相互の位置に基づいて前記第１の数のパーツの位置合わせを行って、前記複数のパーツを有する印刷イメージを作成する第３の工程と、
を含むことを特徴とする印刷イメージ作成方法。
【請求項１０】
印刷イメージ作成画面を表示部に表示させる第１の機能と、
前記表示部の前記印刷イメージ作成画面内に印刷対象である複数のパーツを表示させる第２の機能と、
前記イメージ作成画面において、前記複数のパーツの少なくとも一部の２以上の第１の数の前記パーツが選択された状態で、前記第１の数のパーツの相互の位置に基づいて前記第１の数のパーツの位置合わせを行って、前記複数のパーツを有する印刷イメージを作成させる第３の機能と、
をコンピュータに実行させることを特徴とするプログラム。
【発明の詳細な説明】
【技術分野】
【０００１】
本発明は、被印刷媒体に印刷される印刷イメージを作成するための、印刷イメージ作成装置、印刷イメージ作成方法、及び、プログラムに関する。
【背景技術】
【０００２】
従来、長尺状の被印刷媒体に対し、任意の文字、絵、図形等からなるパーツを有する印刷イメージの印刷を行ってから長尺状の被印刷媒体を切断することでラベルを作成するラベルプリンタが知られている（例えば、特許文献１参照）。
【先行技術文献】
【特許文献】
【０００３】
【特許文献１】特開２０１１−１９７２２８号公報
【発明の概要】
【発明が解決しようとする課題】
【０００４】
ところで、印刷イメージは、単一のパーツで構成される場合だけでなく、複数のパーツで構成されることもある。また、印刷イメージは、例えば、パーソナルコンピュータやスマートフォンにおいて、ユーザの操作を受け付けることにより作成される。印刷イメージを作成しようとする場合、各パーツを印刷イメージ内の上下左右の任意の位置に配置するためのユーザの操作が必要になる。
【０００５】
本発明の目的は、所望の印刷イメージをユーザが容易に作成することができる、印刷イメージ作成装置、印刷イメージ作成方法、及び、プログラムを提供することである。
【課題を解決するための手段】
【０００６】
１つの態様では、印刷イメージ作成装置は、表示部と、前記表示部に印刷イメージ作成画面を表示させるとともに、前記印刷イメージ作成画面内に印刷対象である複数のパーツを表示させ、前記複数のパーツの少なくとも一部に対して位置合わせを行って、前記複数のパーツを有する印刷イメージを作成する制御部と、備え、前記制御部は、前記印刷イメージ作成画面において、前記複数のパーツの少なくとも一部の２以上の第１の数の前記パーツが選択された状態で、前記第１の数のパーツの相互の位置に基づいて前記第１の数のパーツの第１の位置合わせを行う。
【０００７】
別の１つの態様では、印刷イメージ作成方法は、印刷イメージ作成画面を表示部に表示させる第１の工程と、前記表示部の前記印刷イメージ作成画面内に印刷対象である複数のパーツを表示させる第２の工程と、前記印刷イメージ作成画面において、前記複数のパーツの少なくとも一部の２以上の第１の数の前記パーツが選択された状態で、前記第１の数のパーツの相互の位置に基づいて前記第１の数のパーツの位置合わせを行って、前記複数のパーツを有する印刷イメージを作成する第３の工程と、を含む。
【０００８】
別の１つの態様では、プログラムは、印刷イメージ作成画面を表示部に表示させる第１の機能と、前記表示部の前記印刷イメージ作成画面内に印刷対象である複数のパーツを表示させる第２の機能と、前記イメージ作成画面において、前記複数のパーツの少なくとも一部の２以上の第１の数の前記パーツが選択された状態で、前記第１の数のパーツの相互の位置に基づいて前記第１の数のパーツの位置合わせを行って、前記複数のパーツを有する印刷イメージを作成させる第３の機能と、をコンピュータに実行させる。
【発明の効果】
【０００９】
本発明によれば、所望の印刷イメージをユーザが容易に作成することができる。
【図面の簡単な説明】
【００１０】
【図１】実施の形態に係る印刷イメージ作成装置を説明するための説明図である。
【図２】実施の形態における印刷装置を示す斜視図である。
【図３】実施の形態における印刷装置の制御ブロック図である。
【図４】実施の形態に係る印刷イメージ作成方法を説明するためのフローチャートである。
【図５】実施の形態における印刷イメージ作成画面を説明するための説明図である。
【図６】実施の形態における印刷イメージの作成を説明するための説明図（その１）である。
【図７】実施の形態における印刷イメージの作成を説明するための説明図（その２）である。
【図８】実施の形態における印刷イメージの作成を説明するための説明図（その３）である。
【図９】実施の形態における印刷イメージの作成を説明するための説明図（その４）である。
【図１０】実施の形態における印刷イメージの作成を説明するための説明図（その５）である。
【図１１】実施の形態における印刷イメージの作成を説明するための説明図（その６）である。
【図１２】実施の形態におけるパーツが重複する場合の位置合わせを説明するためのフローチャートである。
【図１３】実施の形態におけるパーツが重複する場合の重複設定を受け付ける重複設定画面を示す図である。
【図１４】実施の形態における印刷イメージの作成を説明するための説明図（その７）である。
【図１５】実施の形態における印刷イメージの作成を説明するための説明図（その８）である。
【図１６】実施の形態における印刷イメージの作成を説明するための説明図（その９）である。
【図１７】実施の形態における印刷イメージの作成を説明するための説明図（その１０）である。
【図１８】実施の形態における印刷イメージの作成を説明するための説明図（その１１）である。
【図１９】実施の形態における印刷イメージの作成を説明するための説明図（その１２）である。
【図２０】実施の形態における印刷イメージの作成を説明するための説明図（その１３）である。
【図２１】実施の形態における印刷イメージの作成を説明するための説明図（その１４）である。
【発明を実施するための形態】
【００１１】
以下、本発明の実施の形態に係る、印刷イメージ作成装置、印刷イメージ作成方法、及びプログラムについて、図面を参照しながら説明する。
図１は、実施の形態に係る印刷イメージ作成装置１を説明するための説明図である。
【００１２】
印刷イメージ作成装置１は、制御部の一例であるＣＰＵ（Central Processing Unit）２と、記憶部３と、入力部４と、表示部５と、インターフェース部６と、記録媒体駆動部７と、を備える。これらの構成要素は、バスライン８を介して接続されており、各種のデータを互いに授受する。なお、印刷イメージ作成装置１としては、制御部（ＣＰＵ２）及び表示部５を備えるコンピュータであればよく、例えば、パーソナルコンピュータのほか、スマートフォン、タブレットといった携帯型端末が挙げられる。また、印刷装置１００の図３に示す制御部１０３が後述するＣＰＵ２と同様の処理を行い、印刷装置１００が表示部を備える場合には、印刷装置１００自体が印刷イメージ作成装置１として機能する。
【００１３】
ＣＰＵ２は、印刷イメージ作成装置１全体の動作を制御する演算処理装置である。ＣＰＵ２は、印刷イメージ作成用のプログラムなどの制御プログラムを読み出して実行する。
記憶部３は、ＲＯＭ（Read Only Memory）、ＲＡＭ（Random Access Memory）、ハードディスクなどを含む。
【００１４】
ＲＯＭは、所定の基本制御プログラムが予め記録されている読み出し専用半導体メモリである。なお、ＲＯＭとして、フラッシュメモリ等の、電力供給の停止に対して記憶データが不揮発性であるメモリを使用してもよい。
【００１５】
ＲＡＭは、ＣＰＵ２が各種の制御プログラムを実行する際に、必要に応じて作業用記憶領域として使用される随時書き込み読み出し可能な半導体メモリである。
ハードディスクは、ＣＰＵ２によって実行される各種の制御プログラムや各種のデータを記憶する。
【００１６】
入力部４は、例えばキーボード装置やマウス装置であり、印刷イメージ作成装置１のユーザにより操作されると、その操作内容に対応付けられているユーザからの各種の入力情報を取得し、取得した入力情報をＣＰＵ２に送る。
【００１７】
表示部５は、例えばディスプレイであり、印刷イメージを作成するための印刷イメージ作成画面５０を表示する。なお、表示部５がタッチパネルである場合には、表示部５が入力部４を兼ねることになる。
【００１８】
インターフェース部６は、各種機器との間での各種情報の授受の管理を行う。インターフェース部６は、例えば、有線又は無線で接続された印刷装置１００に対して、任意の文字、絵、図形等からなるパーツを１つ以上有する印刷イメージ（印刷データ）を送信する。なお、印刷イメージ作成装置１及び印刷装置１００を備えるシステムを、印刷システムと捉えることができる。
【００１９】
記録媒体駆動部７は、可搬型記録媒体９に記録されている各種の制御プログラムやデータの読み出しを行う装置である。ＣＰＵ２は、可搬型記録媒９に記録されている所定のプログラムを、記録媒体駆動部７を介して読み出して実行することによって、印刷イメージ作成の各処理を行うようにすることができる。
【００２０】
なお、可搬型記録媒体９としては、例えばＣＤ−ＲＯＭ（Compact Disc Read Only Memory）、ＤＶＤ−ＲＯＭ（Digital Versatile Disc Read Only Memory）、ＵＳＢ規格のコネクタが備えられているフラッシュメモリなどがある。
【００２１】
ＣＰＵ２を備えるコンピュータを印刷イメージ作成装置１として動作させるためには、まず、各処理をＣＰＵ２に行わせるための制御プログラムが作成される。この作成された制御プログラムは、記憶部３のハードディスク装置又は可搬型記録媒体９に予め格納される。そして、ＣＰＵ２に所定の指示が与えられることで、制御プログラムが読み出されて実行される。これにより、ＣＰＵ２を備えるコンピュータが、印刷イメージ作成装置１として動作する。
【００２２】
図２は、本実施の形態における印刷装置１００を示す斜視図である。
図３は、印刷装置１００の制御ブロック図である。
図２及び図３に示す印刷装置１００は、図１に示す印刷イメージ作成装置１から受信した印刷イメージを例えば長尺状の被印刷媒体Ｍに対し印刷することにより、印刷物の一例であるラベルを作成する。
【００２３】
図２に示す装置筐体１０１には、被印刷媒体Ｍを装置筐体１０１の外部へ排出する排出口１０１ａが形成されている。装置筐体１０１には、電源コード接続端子や、後述するインターフェース部１０２として機能する外部機器接続端子及び記憶媒体挿入口が設けられている。また、装置筐体１０１には、カセットを着脱するための図示しない開閉蓋が設けられている。
【００２４】
図３に示すように、印刷装置１００は、インターフェース部１０２、制御部１０３、ＲＯＭ１０４、ＲＡＭ１０５、ヘッド駆動回路１０６、印刷部の一例である印字ヘッド１０７、搬送用モータ駆動回路１０８、搬送用モータ１０９、搬送ローラ１１０、カッターモータ駆動回路１１１、カッターモータ１１２、フルカット機構１１３、ハーフカット機構１１４、及びテープ幅検出スイッチ１１５を備える。
【００２５】
インターフェース部１０２は、印刷イメージ作成装置１のインターフェース部６と有線又は無線で接続され、印刷イメージ作成装置１から印刷イメージを受信する。
制御部１０３は、例えばマイクロプロセッサであって、ＲＯＭ１０４に予め記憶されているシステムプログラム、メモリカードに記憶された制御プログラム、外部機器から読み込まれた制御プログラム等を起動させ、ＲＡＭ１０５をワークメモリとして回路各部の動作を制御する。
【００２６】
ヘッド駆動回路１０６は、インターフェース部１０２が印刷イメージ作成装置１から受信しＲＡＭ１０６に記憶された印刷イメージ（印刷データ）に基づいて印字ヘッド１０７を制御する。印字ヘッド１０７は、この制御に応じて、搬送ローラ１１０の１つであるプラテンローラとの間においてインクリボンを用いた熱転写により被印刷媒体Ｍに所望の印刷イメージを印刷する。
【００２７】
搬送用モータ駆動回路１０８は、ＲＡＭ１０５に記憶された印刷イメージに基づいて搬送用モータ１０９を制御することによって、搬送ローラ１１０を制御し、印字ヘッド１０７による被印刷媒体Ｍへの印刷中、所望の速度で当該被印刷媒体Ｍを搬送させる。
【００２８】
カッターモータ駆動回路１１１は、被印刷媒体Ｍの基材及びこの基材の粘着面に貼り付けられた剥離紙の両方をカットするフルカット機構１１３と、被印刷媒体Ｍの基材のみをカットするハーフカット機構１１４と、を稼働させるカッターモータ１１２の動作を制御する。
【００２９】
テープ幅検出スイッチ１１５は、装置筐体１０１内のカセット収納部に設けられており、このカセット収納部に挿入されるテープカセットに形成された凹凸部の形状を検知することで、テープカセットの種類、つまり被印刷媒体Ｍのテープ幅を自動的に判別する。
【００３０】
なお、上述の印刷装置１００は、あくまで一例であって、本実施の形態における印刷装置としては、印刷イメージを被印刷媒体Ｍに印刷することにより印刷物を作成する装置であればよい。例えば、印刷部の一例である印字ヘッド１０７が、インクジェット方式などの他の印刷方式により被印刷媒体Ｍに印刷を行う印刷部であってもよい。
【００３１】
また、印刷装置１０１が、入力部や表示部を備えてもよい。この入力部としては、例えば、文字、絵、図形等が入力される入力キー、印刷開始を指示する印刷キー、表示部の表示画面上のカーソルを移動操作するカーソルキー、印刷モードの設定や各種設定処理を行う種々の制御キーなどのいずれか又は全部を有する入力部が挙げられる。また、表示部としては、例えば、液晶表示パネルであって、入力部からの入力に対応する文字、絵、図形等や、各種の設定のための選択メニューや、エラー時のユーザへの報知のための画面や、各種の処理に関するメッセージ等を表示する表示部が挙げられる。
【００３２】
図４は、本実施の形態に係る印刷イメージ作成方法を説明するためのフローチャートである。
図５は、印刷イメージ作成画面５０を説明するための説明図である。
【００３３】
図５に示す印刷イメージ作成画面５０は、図１に示す印刷イメージ作成装置１の表示部５に表示される画像の一例である。
印刷イメージ作成画面５０は、メニューバー５１、ツールバー大５２、ツールバー小６０、イメージ表示領域５３、ラベル設定部５４、及び文字設定部５５を含む。
【００３４】
メニューバー５１は、ファイル、編集等の各メニューが押下されることで、各メニューに関連する機能一覧を表示する。
ツールバー大５２及びツールバー小６０には、それぞれボタン大又はボタン小が配列され、各ボタン（アイコン）が押下されることで操作に対応する処理をＣＰＵ２が実行する。ツールバー小６０には、図６（ａ）及び（ｂ）に示すように、位置合わせのための操作部分の例である、上揃えボタン６１、下揃えボタン６２、左揃えボタン６３、右揃えボタン６４、左右中心揃えボタン６５、上下中心揃えボタン６６等が配置されている。
【００３５】
イメージ表示領域５３の上端及び左端には、位置座標を表す目盛り５３ａがｍｍ単位で表されている。目盛り５３ａの縦軸は、図６（ａ）及び（ｂ）に示す印刷イメージＭ１０のラベル幅（すなわち、図２に示す被印刷媒体Ｍのテープ幅）を表し、目盛り５３ａの横軸は、印刷イメージＭ１０の長さを表す。
【００３６】
イメージ表示領域５３には、図６（ａ）及び（ｂ）に示す印刷イメージＭ１０が表示される。この印刷イメージＭ１０は、例えば絵からなる単一のパーツＰ１１のみからなるが、パーツＰ１１は複数作成可能である。パーツＰ１１は、絵からなるパーツに限られず、文字からなるパーツや、図形からなるパーツ等であってもよい。印刷イメージＭ１０内の破線は、印刷装置１００が印刷を行うことができる領域である印刷可能領域Ａ１０を表す。なお、印刷装置１００においては、印刷可能領域Ａ１０内のパーツＰ１１が例えば左端から右端に右方向に印刷される。
【００３７】
図５に示すラベル設定部５４では、作成されるラベルの幅、長さ等の設定が行われる。
文字設定部５５では、印刷イメージＭ１０を構成する１つ以上のパーツＰ１１に含まれる文字のフォント、サイズ、向き等の設定が行われる。
【００３８】
図６（ａ）に示すパーツＰ１１は、ユーザによって選択された状態（Ｓ１）である。このパーツＰ１１の選択は、例えば、図１に示す入力部３のマウス装置を用いて所望のパーツＰ１１を左クリックすることにより行われる。なお、選択されたパーツＰ１１（Ｓ１）のうち最後に選択されたパーツ（図６（ａ）の例ではパーツＰ１１の数が単一であるため、最後に選択されたパーツもパーツＰ１１である。）には、パーツＰ１１の大きさを上下左右方向に変更するための第１の調整部Ｓａと、角度の変更や変形を行うための第２の調整部Ｓｂとが表示される。第１の調整部Ｓａは、例えばパーツＰ１１を取り囲む矩形状を呈し、第２の調整部Ｓｂは、例えばパーツＰ１１の右上端部から、角度の変更を行う部分が右上に突出し、変形を行うための部分が上及び右にそれぞれ突出する。また、選択されたパーツＰ１１（Ｓ１）は、選択された順番に限らず、矩形の破線で囲まれて表示される。
【００３９】
図４に示すフローチャートの処理は、ＣＰＵ２が印刷イメージ作成画面５０を図１に示す表示部５に表示させた後（第１の工程，第１の機能）、或いは、更に表示部５の印刷イメージ作成画面５０内に印刷対象である複数のパーツを表示させた後（第２の工程，第２の機能）に、図６（ａ）及び（ｂ）に示す上記の各種ボタン６１〜６６が押下されることで図１に示すＣＰＵ２により行われる。なお、これらのボタン６１〜６６は、例えば、パーツＰ１１が選択されていない状態では操作不可能な非アクティブ状態となる。
【００４０】
まず、図６（ａ）に示すように、例えば左揃えボタン６３が押下されることで、図１に示すＣＰＵ２がユーザからの位置合わせ操作を受け付けると、ＣＰＵ２は、ユーザによって選択されているパーツＰ１１（Ｓ１）が単一であるか否かを判定する（ステップＳ１１）。
【００４１】
図６（ａ）に示すように、印刷イメージＭ１０において、選択されたパーツＰ１１（Ｓ１）が単一であると判定されると（ステップＳ１１：ＹＥＳ）、ＣＰＵ２は、印刷可能領域Ａ１０に対するパーツＰ１１の位置合わせ（第２の位置合わせの一例）を行う。この第２の位置合わせは、表示可能な複数のパーツのうちの単一のパーツ（図６（ａ）の例ではパーツＰ１１）が選択された状態で、印刷イメージＭ１０における印刷可能領域Ａ１０に対して単一のパーツに行われる位置合わせである。図６（ａ）に示す例では、左揃えボタン６３が押下されているため、印刷可能領域Ａ１０の左端（図６（ｂ）に示す位置合わせＡＬ）に、パーツＰ１１の左端が位置するように、パーツＰ１１を移動させることで位置合わせを行う（ステップＳ１２）。なお、図６（ｂ）に二点鎖線で示す位置合わせ線ＡＬは、位置合わせをする位置を説明するための仮想の線に過ぎず、実際には印刷イメージ作成画面５０では表示されず、印刷も行われない線である。
【００４２】
一方、図７（ａ）に示すように、印刷イメージＭ１０において、パーツＰ１１（Ｓ１）に加えて他のパーツＰ１２（Ｓ２。選択された順にＳ１、Ｓ２、・・・で表す。）も選択されている場合、ＣＰＵ２は、選択されたパーツＰ１１，Ｐ１２が複数であると判定する（ステップＳ１１：ＮＯ）。この場合、ＣＰＵ２は、選択された複数のパーツＰ１１，Ｐ１２間での位置合わせを行う。図７（ａ）に示す例では、左揃えボタン６３が押下されているため、ＣＰＵ２は、２つのパーツＰ１１，Ｐ１２の左端のうち最も左側に位置するパーツＰ１１の左端（図７（ｂ）に示す位置合わせ線ＡＬ）を、位置合わせを行う位置として算出（取得）し（ステップＳ１３）、パーツＰ１２のみを左側に移動させることで位置合わせ（第１の位置合わせの一例）を行う（ステップＳ１４）。なお、この第１の位置合わせは、複数のパーツの少なくとも一部の２以上の第１の数のパーツ（図７（ａ）の例では２つのパーツＰ１１，Ｐ１２）が選択された状態で、第１の数のパーツの相互の位置に基づいて第１の数のパーツに行われる位置合わせである。また、この第１の位置合わせを行って、複数のパーツＰ１１，Ｐ１２を有する印刷イメージＭ１０を作成する処理は、第３の工程又は第３の機能に対応する。
【００４３】
なお、パーツＰ１１（Ｓ１），Ｐ１２（Ｓ２）が複数選択されていても、選択されたパーツＰ１１（Ｓ１）が１つである図６（ｂ）の例のように、印刷可能領域Ａ１０に対して位置合わせを行う設定を別途選択可能であってもよい。例えば、印刷可能領域Ａ１０に対してパーツＰ１１，Ｐ１２の位置合わせを行う操作部分と、パーツＰ１１，Ｐ１２間での位置合わせを行う操作部分とが別に設けられていてもよい。この場合、パーツＰ１１，Ｐ１２間での位置合わせを行う操作部分は、複数のパーツが選択された状態であることがパーツ間での位置合わせの前提となるため、単一のパーツが選択されているときやパーツが選択されていないときには非アクティブ状態で操作不可能とするとよい。
【００４４】
上記の複数のパーツＰ１１，Ｐ１２間での位置合わせを行うことで、例えば、図８に示す印刷イメージＭ２０のように、複数のパーツＰ２１〜Ｐ２６のうちの選択されたパーツＰ２２（Ｓ１）〜Ｐ２５（Ｓ４）のみを所定の位置（位置合わせ線ＡＬ）に左揃えするなどの位置合わせを行うことができる。
【００４５】
次に、図９（ａ）に示す印刷イメージＭ３０のように、単一のパーツＰ３１（Ｓ１）が選択された状態で、左右中心揃えボタン６５が押下されることにより位置合わせ操作が行われた場合、ＣＰＵ２は、図９（ｂ）に示すように、印刷可能領域Ａ３０の左右方向の中心（位置合わせＡＬ）にパーツＰ３１の左右方向の中心が位置するように、パーツＰ３１を移動させることで位置合わせ（上述のステップＳ１２）を行う。なお、上下中心揃えボタン６６が押下されることにより位置合わせ操作が行われた場合も同様に、ＣＰＵ２は、印刷可能領域Ａ３０の上下方向の中心にパーツＰ３１の上下方向の中心が位置するように、パーツＰ３１を移動させることで位置合わせを行う。
【００４６】
図１０（ａ）に示すように、印刷イメージＭ３０において、２つのパーツＰ３１（Ｓ１），Ｐ３２（Ｓ２）が選択された状態で、左右中心揃えボタン６５が押下されることにより位置合わせ操作が行われた場合、ＣＰＵ２は、２つのパーツＰ３１（Ｓ１），Ｐ３２（Ｓ２）間での位置合わせ（上述のステップＳ１３，Ｓ１４）を行う。図１０（ａ）に示す例では、左右中心揃えボタン６５が押下されているため、図１０（ｂ）に示すように、ＣＰＵ２は、選択された２つのパーツＰ３１（Ｓ１），Ｐ３２（Ｓ２）のうち、左側に位置するパーツＰ３１の左端と右側に位置するパーツＰ３２の右端との中心の位置（位置合わせ線ＡＬ）を、位置合わせを行う位置として算出し（ステップＳ１３）、この位置にパーツＰ３１，Ｐ３２の左右方向の中心が位置するようにパーツＰ３１，Ｐ３２を移動させることで位置合わせを行う（ステップＳ１４）。
【００４７】
なお、左右中心揃えや上下中心揃えの位置合わせは、位置合わせの方向における両端に位置する２つのパーツの中心間の中心が位置合わせ線ＡＬとなるように位置合わせを行ってもよい。或いは、左右中心揃えや上下中心揃えの位置合わせは、選択されたパーツが複数で且つ奇数であるときに、位置合わせの方向において、真ん中に位置するパーツの中心に位置合わせ線ＡＬが位置するように位置合わせを行ってもよい。また、選択されたパーツが複数で且つ偶数であるときに、位置合わせの方向において、真ん中に位置する２つのパーツの中心間の中心に位置合わせ線ＡＬが位置するように位置合わせを行ってもよい。
【００４８】
図１１に示す印刷イメージＭ４０は、パーツＰ４１（第１のパーツを取り囲む第２のパーツの例）と、このパーツＰ４１内に配置されたパーツＰ４２〜Ｐ４６（第１のパーツの例）と、パーツＰ４１外に配置されたパーツＰ４７，Ｐ４８と、を有する。このような印刷イメージＭ４０において、パーツＰ４１内に配置されたパーツＰ４２（Ｓ１）〜Ｐ４６（Ｓ５）のみ（又は更にパーツＰ４１）が選択された状態で左右中心揃えボタン６５の押下等の位置合わせ操作が行われた場合、ＣＰＵ２は、パーツＰ４１に対してパーツＰ４２（Ｓ１）〜Ｐ４６（Ｓ５）の位置合わせを行うようにしてもよい。図１１の例では、左右中心揃えボタン６５が押下されているため、パーツＰ４１内の左右方向の中心（位置合わせＡＬ）にパーツＰ４２（Ｓ１）〜Ｐ４６（Ｓ５）の左右方向の中心が位置するように、パーツＰ４２（Ｓ１）〜Ｐ４６（Ｓ５）を移動させることで位置合わせが行われる。
【００４９】
図１２は、パーツが重複する場合の位置合わせを説明するためのフローチャートである。
図１３は、パーツが重複する場合の重複設定を受け付ける重複設定画面５６を示す図である。
【００５０】
図１４（ａ）に示す印刷イメージＭ５０のように、２つのパーツＰ５１（Ｓ１），Ｐ５２（Ｓ２）が選択された状態で左揃えボタン６３が押下された場合に、最も左側に位置するパーツＰ５２の左端に揃える、左右方向のみの位置合わせを行った場合に、２つのパーツＰ５１（Ｓ１），Ｐ５２（Ｓ２）が少なくとも一部において互いに重なることになる場合について考える。このような重なりを解消するために、図４に示す位置合わせ処理（ステップＳ１２〜Ｓ１４）では後述する図１２に示す処理を行ってもよい。
【００５１】
まず、ＣＰＵ２は、位置合わせを行う場合に、左右方向のみの位置合わせを行った場合複数のパーツが少なくとも一部において互いに重なることになるか否かを判定する（ステップＳ２１）。このように、制御部の一例であるＣＰＵ２は、位置合わせを行った場合に、複数のパーツの少なくとも一部の２以上の第１の数のパーツ（図１４（ａ）の例ではパーツＰ５１，Ｐ５２）の少なくとも一部において互いに重なりが生じるか否かを判定する手段を有する。重なりが生じないと判定された場合（ステップＳ２１：ＮＯ）、ＣＰＵ２は、そのまま上述のステップＳ１２〜Ｓ１４のような位置合わせ（ステップＳ２７）を行えばよい。なお、図１４（ａ）に示すように選択されている複数のパーツＰ５１（Ｓ１），Ｐ５２（Ｓ２）間での位置合わせを行う場合に限らず、単一のパーツのみが選択された状態で印刷可能領域Ａ５０に対するパーツの位置合わせを行う場合でも、選択された単一のパーツと選択されていない他のパーツとの間での重なりは生じ得る。そのため、ＣＰＵ２は、これらのパーツが少なくとも一部において互いに重なりが生じるか否かを判定する手段を更に有するとよい。
【００５２】
図１４（ａ）に示すパーツＰ５１，Ｐ５２のように、左右方向のみの位置合わせを行った場合に重なりが生じると判定された場合（ステップＳ２１：ＹＥＳ）、ＣＰＵ２は、図５に示す印刷イメージ作成画面５０上に、図１３に示す重複設定画面５６を表示することにより、重なりが生じることをユーザへ報知する（ステップＳ２２）。このように、ＣＰＵ２は、重なりが生じることをユーザへ報知する手段を有するが、重なりが生じることをユーザへ報知するためには、音声等の他の報知手段によって報知してもよい。また、ユーザへの報知を省略して、予め定められた設定に基づき、後述する位置変更や大きさ変更をＣＰＵ２が自動的に行うようにしてもよい。
【００５３】
図１３に示す重複設定画面５６においてユーザが重複ＯＫ欄５６ａを押下した場合には、ＣＰＵ２は、重複ＯＫ設定がされたと判定し（ステップＳ２３：ＹＥＳ）、そのまま上述の位置合わせを行う（ステップＳ２７）。
【００５４】
また、ユーザが重複ＯＫ欄５６ａを押下せずに、位置変更欄５６ｂを押下した場合（ステップＳ２３：ＮＯ、且つ、ステップＳ２４：ＹＥＳ）、ＣＰＵ２は、図１４（ｂ）に示すように、重なりが生じることになるパーツＰ５１，Ｐ５２のうち下側に位置するパーツＰ５１を、パーツＰ５２と重なりが生じないように下側に移動させるように変更し（ステップＳ２５）、位置合わせを行う（ステップＳ２７）。このように、ＣＰＵ２は、重なりが生じる一部のパーツのうちの少なくとも１つを重なりが解消されるように移動させる第１手段を有する。
【００５５】
なお、位置の変更は、複数のパーツの少なくとも１つを、例えば、位置合わせの揃える方向（図１４（ａ）では左方向）に直交する方向（上下方向）に、重なりを解消するように移動させるように変更すればよい。また、実際に位置合わせを行う前に、位置を変更した場合のサンプルイメージを図５に示す印刷イメージ作成画面５０上でユーザに提示し、その後さらにユーザから位置変更する所望の位置を設定する操作を受け付けてもよい。
【００５６】
図１４（ｂ）の例では、パーツＰ５２の上端が印刷可能領域Ａ５０の上端に位置しているため、パーツＰ５１のみを下方向に移動させている。なお、このような位置の変更は、右揃えボタン６４が押下された場合や、図１５に示すように左右中心揃えボタン６５が押下された場合でも同様であり、この場合、例えば、左右方向に直交する上下方向に重なりを解消するように、パーツＰ５１を下方向に移動させればよい。
【００５７】
図１６（ａ）に示すパーツＰ５２，Ｐ５３のように、印刷可能領域Ａ５０の上下方向の長さがパーツＰ５２，Ｐ５３の上下方向の長さの和よりも長いことで、位置合わせの揃える方向（図１６（ａ）でも左揃えボタン６３が押下されているため左方向）に直交する上下方向に重なりを解消するようにパーツＰ５２，Ｐ５３を移動させても重複が完全には解消されない場合、最も重なりが少なくなるように、例えば、一方のパーツＰ５３を印刷可能領域Ａ５０の下端まで下方に移動させることで、最小限の重複が残るようにするとよい。なお、図１６（ｂ）の例では、選択された２つのパーツＰ５２（Ｓ１），Ｐ５３（Ｓ２）のうち最後に選択されたパーツＰ５３（Ｓ２）が優先的に前面に表示されている。
【００５８】
ユーザが重複ＯＫ欄５６ａや位置変更欄５６ｂを押下せずに、大きさ変更欄５６ｃを押下した場合（ステップＳ２３：ＮＯ、且つ、ステップＳ２４：ＮＯ）、ＣＰＵ２は、パーツの大きさ変更をした上で（ステップＳ２６）、位置合わせを行う（ステップＳ２７）。このように、ＣＰＵ２は、重なりが生じる一部のパーツのうちの少なくとも１つを重なりが解消される大きさに変更する第２手段を有する。
【００５９】
変更する大きさは、図１７（ａ）に示す印刷イメージＭ５０のように位置合わせにより重なりが生じるパーツＰ５２，Ｐ５３を、例えば位置合わせの揃える方向（図１７（ａ）でも左揃えボタン６３が押下されているため左方向）に直交する上下方向に移動させても重複が解消しない場合に、重複を解消できる最小限の大きさ（例えば図１７（ｂ）の例では８０％）のパーツＰ５２−１，Ｐ５２−２としてもよいし、或いは、ユーザから大きさの設定を受け付けてもよい。また、大きさを変更するパーツは、単一のパーツであっても複数のパーツであってもよいが、複数のパーツの大きさを変更する場合には、変更する比率（元の大きさに対する大きさの割合）を一致させることが望ましい。
【００６０】
また、位置変更（ステップＳ２５）を行って重複が解消しない場合に限って大きさ変更（ステップＳ２６）が行われてもよいし、その逆に、大きさ変更（ステップＳ２６）を行って重複が解消しない場合に限って位置変更（ステップＳ２５）が行われてもよい。
【００６１】
次に、仮想線ＶＬ等の指標を用いた位置合わせについて説明する。
ユーザが所望の位置に位置合わせを行いたい場合、ＣＰＵ２は、例えば、図１８（ａ）に示すように指標の一例である仮想線ＶＬを印刷イメージＭ６０上に表示させ、このように仮想線ＶＬが表示された状態で位置合わせ操作が行われた場合に、仮想線ＶＬに対する位置合わせを行うとよい。このように、ＣＰＵ２は、位置合わせの基準となり印刷対象ではない指標を、印刷イメージ作成画面５０内に表示させる手段を有する。なお、仮想線ＶＬ等の指標の表示は、例えば、図１に示す入力部３のマウス装置を用いて右クリックすることに現れるメニューから選択操作を行うことにより表示されてもよいし、或いは、印刷イメージ作成画面５０内に指標を表示させる操作部分が配置され、この操作部分を押下することにより表示されてもよい。
【００６２】
図１８（ａ）に示すように上下に延びる仮想線ＶＬが表示された状態で、左揃えボタン６３、右揃えボタン６４、又は左右中心揃えボタン６５が押下された場合には、ＣＰＵ２は、仮想線ＶＬを、位置合わせを行う基準の位置として位置合わせ（第３の位置合わせの一例）を行う。この第３の位置合わせは、指標（例えば仮想線ＶＬ）が印刷イメージ作成画面５０内に表示され、複数のパーツの少なくとも一部の２以上の第１の数のパーツ（図１８（ａ）の例ではパーツＰ６１，Ｐ６２）が選択された状態で、指標に対して第１の数のパーツに行われる位置合わせである。なお、この第３の位置合わせは、指標に対して単一のパーツに行われる位置合わせであってもよい。例えば、図１８（ａ）に示す例では、左揃えボタン６３が押下されているため、ＣＰＵ２は、図１８（ｂ）に示すように、選択された２つのパーツＰ６１（Ｓ１），Ｐ６２（Ｓ２）の左端を仮想線ＶＬに一致させるように左右方向に位置合わせを行う。
【００６３】
また、例えば左右に延びる仮想線が表示された状態で、上揃えボタン６１、下揃えボタン６２、又は上下中心揃えボタン６６が押下された場合には、ＣＰＵ２は、仮想線を、位置合わせを行う基準の位置として上下方向に位置合わせを行うとよい。
【００６４】
なお、仮想線ＶＬは、上下又は左右に延びる直線に限らず、上下左右に対して傾きを有する直線であってもよいし、或いは曲線等であってもよい。また、仮想線ＶＬは、図１８（ａ）及び（ｂ）に示す破線に限らず、実線、点線、鎖線などで表示されてもよい。
【００６５】
指標の他の一例として、図１９（ａ）に示すように仮想枠ＶＦが印刷イメージＭ７０上に表示され、この仮想枠ＶＦが表示された状態で位置合わせ操作が行われた場合に、仮想枠ＶＦに対する位置合わせが行われてもよい。
【００６６】
例えば、図１９（ａ）に示す例では、左右中心揃えボタン６５が押下されているため、ＣＰＵ２は、図１９（ｂ）に示すように、選択された３つのパーツＰ７１（Ｓ１），Ｐ７２（Ｓ２），Ｐ７３（Ｓ３）の左右中心を仮想枠ＶＦの左右中心（位置合わせ線ＡＬ）に一致するように左右方向に位置合わせを行う。
【００６７】
なお、仮想枠ＶＦは、矩形の枠に限らず、円形状や楕円形状やその他の形状であってもよい。また、仮想枠ＶＦは、図１９（ａ）及び（ｂ）に示す破線に限らず、実線、点線、鎖線などで表示されてもよい。
【００６８】
次に、図２０（ａ）に示す印刷イメージＭ８０のように、選択されたパーツＰ８１（Ｓ１）が印刷可能領域Ａ８０からはみ出している場合の位置合わせについて説明する。
図２０（ａ）に示す例では、ＣＰＵ２は、左揃えボタン６３が押下されているため、印刷可能領域Ａ８０の左端に、選択されたパーツＰ８１（Ｓ１）の左端が位置するように、パーツＰ８１を右方向に移動させることで位置合わせを行う。なお、仮に上揃えボタン６１が押下された場合、ＣＰＵ２は、選択されたパーツＰ８１（Ｓ１）の上端が印刷可能領域Ａの上端に位置するようにパーツＰ８１を上方向に移動させるとともに、はみ出しを解消するようにパーツＰ８１の左端が印刷可能領域Ａ８０の左端に位置するようにパーツＰ８１を右方向に移動させるとよい。
【００６９】
次に、図２１に示す印刷イメージＭ９０のように、選択されたパーツＰ９１（Ｓ１），Ｐ９２（Ｓ２）のうち少なくとも１つのパーツＰ９１（Ｓ１）に余白等の非印刷領域Ｐ９１ｂがある場合について説明する。
【００７０】
この場合、パーツＰ９１のうち非印刷領域Ｐ９１ｂを除いた印刷領域Ｐ９１ａ（説明の便宜上、太い破線で図示）を基に位置合わせを行う位置を算出するとよい。すなわち、図２１に示す例では、左右中心揃えボタン６５が押下されているため、パーツＰ９１の印刷領域Ｐ９１ａとパーツＰ９２とのうち、左側に位置する一方の左端と、右側に位置する他方の右端と、の中心の位置（位置合わせ線ＡＬ）を、位置合わせを行う位置として算出し、この中心の位置にパーツＰ９１の印刷領域Ｐ９１ａ及びパーツＰ９２の左右方向の中心が位置するように位置合わせを行うとよい。
【００７１】
なお、印刷領域Ｐ９１ａは、パーツＰ９１に含まれる文字等の印刷部分（黒部分）の左端、右端、上端、及び下端に沿う矩形状でパーツＰ９１から切り出してもよいし、或いは、パーツＰ９１の上下左右のいずれかに所定面積以上の余白部分がある場合にこの部分を非印刷領域とみなし、この非印刷領域以外の部分を印刷領域Ｐ９１ａとして切り出してもよい。
【００７２】
以上説明した本実施の形態では、図１に示す印刷イメージ作成装置１は、表示部２と、制御部の一例であるＣＰＵ２と、を備える。このＣＰＵ２は、表示部５に印刷イメージ作成画面５０を表示させるとともに、印刷イメージ作成画面５０内に例えば図７（ａ）に示すように印刷対象である複数のパーツＰ１１，Ｐ１２を表示させ、この複数のパーツの少なくとも一部（図７（ａ）の例ではパーツＰ１１，Ｐ１２の両方）に対して位置合わせを行って、複数のパーツＰ１１，Ｐ１２を有する印刷イメージＭ１０を作成する。また、ＣＰＵ２は、印刷イメージ作成画面５０において、複数のパーツの少なくとも一部の２以上の第１の数のパーツ（図７（ａ）の例ではパーツＰ１１，Ｐ１２）が選択された状態で、第１の数のパーツの相互の位置に基づいて第１の数のパーツの第１の位置合わせを行う。そのため、パーツＰ１１，Ｐ１２を任意の位置に配置するユーザの操作が容易になる。よって、本実施の形態によれば、所望の印刷イメージＭ１０をユーザが容易に作成することができる。
【００７３】
また、本実施の形態では、ＣＰＵ２は、印刷イメージ作成画面５０において、複数のパーツのうちの単一のパーツ（図６（ａ）の例ではパーツＰ１１）が選択された状態で、印刷イメージＭ１０における印刷可能領域Ａ１０に対して単一のパーツの第２の位置合わせを行う。そのため、パーツＰ１１を任意の位置に配置するユーザの操作が更に容易になる。したがって、所望の印刷イメージＭ１０をユーザがより一層容易に作成することができる。
【００７４】
また、本実施の形態では、第１の位置合わせ（複数のパーツＰ１１，Ｐ１２）と第２の位置合わせ（単一のパーツＰ１１の位置合わせ）とは、印刷イメージ作成画面５０における共通の操作部分（例えば左揃えボタン６３）に対するユーザによる操作に基づいて行われる。そのため、所望の印刷イメージＭ１０をユーザがより一層容易に作成することができる。
【００７５】
また、本実施の形態では、ＣＰＵ２は、位置合わせの基準となり印刷対象ではない指標（例えば、図１８に示す仮想線ＶＬや図１９に示す仮想枠ＶＦ）を、印刷イメージ作成画面５０に表示させる手段を有し、指標が印刷イメージ作成画面５０内に表示され、第１の数のパーツ（図１８（ａ）の例ではパーツＰ６１，Ｐ６２）が選択された状態で、指標に対して第１の数のパーツの第３の位置合わせを行う。そのため、所望の印刷イメージをユーザがより一層容易に作成することができる。
【００７６】
また、本実施の形態では、ＣＰＵ２は、位置合わせを行った場合に、第１の数のパーツの少なくとも一部において互いに重なりが生じるか否かを判定する手段を有する。また、ＣＰＵ２は、第１の数のパーツの少なくとも一部において互いに重なりが生じると判定したときに、第１の数のパーツにおける重なりが生じる一部のパーツ（図１４（ａ）の例ではパーツＰ５１，Ｐ５２）のうちの少なくとも１つ（パーツＰ５１）を重なりが解消されるように移動させる第１手段、及び、第１の数のパーツ（図１７（ａ）の例ではパーツＰ５２，Ｐ５３）の少なくとも一部において互いに重なりが生じると判定したときに、第１の数のパーツにおける重なりが生じる一部のパーツのうちの少なくとも１つ（パーツＰ５３）の大きさを重なりが解消される大きさに変更する第２手段、の少なくとも何れかを有する。また、ＣＰＵ２は、第１の数のパーツの少なくとも一部において互いに重なりが生じると判定したときに、重なりが生じることを例えば図１３に示す重複設定画面５６によってユーザへ報知（ステップＳ２２）する手段を有する。これらによって、図１４〜図１７に示すように、パーツＰ５１〜Ｐ５３の重なり（又は重なりの一部）を解消することができる。したがって、所望の印刷イメージＭ５０をユーザがより一層容易に作成することができる。
【００７７】
また、本実施の形態では、ＣＰＵ２は、図１１に示すように、複数のパーツＰ４１〜Ｐ４８が第１のパーツＰ４２〜Ｐ４６と、この第１のパーツＰ４２〜Ｐ４６を取り囲む第２のパーツＰ４１とを含み、印刷イメージ作成画面５０において、第１のパーツＰ４２（Ｓ１）〜Ｐ４６（Ｓ５）が選択された状態で、第２のパーツＰ４１に対して第１のパーツＰ４２〜Ｐ４６の位置合わせを行う。そのため、所望の印刷イメージＭ４０をユーザがより一層容易に作成することができる。
【００７８】
以上、本発明の実施の形態を説明したが、本願発明は特許請求の範囲に記載された発明とその均等の範囲を含む。以下に、本願の出願当初の特許請求の範囲に記載された発明を付記する。
【００７９】
［付記１］
表示部と、
前記表示部に印刷イメージ作成画面を表示させるとともに、前記印刷イメージ作成画面内に印刷対象である複数のパーツを表示させ、前記複数のパーツの少なくとも一部に対して位置合わせを行って、前記複数のパーツを有する印刷イメージを作成する制御部と、
を備え、
前記制御部は、
前記印刷イメージ作成画面において、前記複数のパーツの少なくとも一部の２以上の第１の数の前記パーツが選択された状態で、前記第１の数のパーツの相互の位置に基づいて前記第１の数のパーツの第１の位置合わせを行うことを特徴とする印刷イメージ作成装置。
【００８０】
［付記２］
前記制御部は、
前記印刷イメージ作成画面において、前記複数のパーツのうちの単一の前記パーツが選択された状態で、前記印刷イメージにおける印刷可能領域に対して前記単一のパーツの第２の位置合わせを行うことを特徴とする付記１に記載の印刷イメージ作成装置。
【００８１】
［付記３］
前記第１の位置合わせと前記第２の位置合わせとは、前記印刷イメージ作成画面における共通の操作部分に対するユーザによる操作に基づいて行われることを特徴とする付記２に記載の印刷イメージ作成装置。
【００８２】
［付記４］
前記制御部は、
前記位置合わせの基準となり印刷対象ではない指標を、前記印刷イメージ作成画面内に表示させる手段を有し、
前記指標が前記印刷イメージ作成画面内に表示され、前記第１の数のパーツが選択された状態で、前記指標に対して前記第１の数のパーツの第３の位置合わせを行うことを特徴とする付記１乃至３の何れかに記載の印刷イメージ作成装置。
【００８３】
［付記５］
前記制御部は、
前記位置合わせを行った場合に、前記第１の数のパーツの少なくとも一部において互いに重なりが生じるか否かを判定する手段を有することを特徴とする付記１乃至４の何れかに記載の印刷イメージ作成装置。
【００８４】
［付記６］
前記制御部は、
前記第１の数のパーツの少なくとも一部において互いに重なりが生じると判定したときに、前記第１の数のパーツにおける前記重なりが生じる前記一部のパーツのうちの少なくとも１つを前記重なりが解消されるように移動させる第１手段、及び、前記第１の数のパーツの少なくとも一部において互いに重なりが生じると判定したときに、前記第１の数のパーツにおける前記重なりが生じる前記一部のパーツのうちの少なくとも１つの大きさを前記重なりが解消される大きさに変更する第２手段、の少なくとも何れかを有することを特徴とする付記５に記載の印刷イメージ作成装置。
【００８５】
［付記７］
前記制御部は、
前記第１の数のパーツの少なくとも一部において互いに重なりが生じると判定したときに、重なりが生じることをユーザへ報知する手段を有することを特徴とする付記５又は６に記載の印刷イメージ作成装置。
【００８６】
［付記８］
前記制御部は、
前記複数のパーツが、第１のパーツと前記第１のパーツを取り囲む第２のパーツとを含み、前記印刷イメージ作成画面において、前記第１のパーツが選択された状態で、前記第２のパーツに対して前記第１のパーツの位置合わせを行うことを特徴とする付記１から６の何れかに記載の印刷イメージ作成装置。
【００８７】
［付記９］
印刷イメージ作成画面を表示部に表示させる第１の工程と、
前記表示部の前記印刷イメージ作成画面内に印刷対象である複数のパーツを表示させる第２の工程と、
前記印刷イメージ作成画面において、前記複数のパーツの少なくとも一部の２以上の第１の数の前記パーツが選択された状態で、前記第１の数のパーツの相互の位置に基づいて前記第１の数のパーツの位置合わせを行って、前記複数のパーツを有する印刷イメージを作成する第３の工程と、
を含むことを特徴とする印刷イメージ作成方法。
【００８８】
［付記１０］
印刷イメージ作成画面を表示部に表示させる第１の機能と、
前記表示部の前記印刷イメージ作成画面内に印刷対象である複数のパーツを表示させる第２の機能と、
前記イメージ作成画面において、前記複数のパーツの少なくとも一部の２以上の第１の数の前記パーツが選択された状態で、前記第１の数のパーツの相互の位置に基づいて前記第１の数のパーツの位置合わせを行って、前記複数のパーツを有する印刷イメージを作成させる第３の機能と、
をコンピュータに実行させることを特徴とするプログラム。
【符号の説明】
【００８９】
１・・・印刷イメージ作成装置、２・・・ＣＰＵ、５・・・表示部、５０・・・印刷イメージ作成画面、５１・・・イメージ表示領域、６１・・・上揃えボタン、６２・・・下揃えボタン、６３・・・左揃えボタン、６４・・・右揃えボタン、６５・・・左右中心揃えボタン、６６・・・上下中心揃えボタン、Ｍ１０〜Ｍ９０・・・印刷イメージ、Ａ１０〜Ａ９０・・・印刷可能領域、Ｐ１１等・・・パーツ、Ｐ９１ａ・・・印刷領域、Ｐ９１ｂ・・・非印刷領域
【図１】
2018049439.tif 000003
【図２】
2018049439.tif 000004
【図３】
2018049439.tif 000005
【図４】
2018049439.tif 000006
【図５】
2018049439.tif 000007
【図６】
2018049439.tif 000008
【図７】
2018049439.tif 000009
【図８】
2018049439.tif 000010
【図９】
2018049439.tif 000011
【図１０】
2018049439.tif 000012
【図１１】
2018049439.tif 000013
【図１２】
2018049439.tif 000014
【図１３】
2018049439.tif 000015
【図１４】
2018049439.tif 000016
【図１５】
2018049439.tif 000017
【図１６】
2018049439.tif 000018
【図１７】
2018049439.tif 000019
【図１８】
2018049439.tif 000020
【図１９】
2018049439.tif 000021
【図２０】
2018049439.tif 000022
【図２１】
2018049439.tif 000023